(57)【要約】【課題】ロータの逆回転時に発生する振動に起因する諸問題を解決することができると共に、スプール往復動機構の耐久性、並びにロータ逆回転時におけるフリー性に優れた魚釣用スピニングリールを提供する。【解決手段】ハンドル軸５の回転操作に応じて回転しスプール４に釣糸を案内する釣糸案内部を有するロータ３と、先端にスプール４が取り付けられたスプール軸１２と、ハンドル軸５の回転操作運動をスプール軸１３の前後往復動に変換するスプール往復動機構１４と、を備え、スプール往復動機構４１は、釣糸をスプール４から引き出すロータ３の回転速度に応じてスプール軸１３を前後往復動させない状態に切り換えることを特徴とする。【選択図】    図１
2007006786.tif 000002
【特許請求の範囲】
【請求項１】
ハンドル軸の回転操作に応じて回転しスプールに釣糸を案内する釣糸案内部を有するロータと、先端にスプールが取り付けられたスプール軸と、前記ハンドル軸の回転操作運動を前記スプール軸の前後往復動に変換するスプール往復動機構と、を備え、前記スプール往復動機構は、釣糸をスプールから引き出す前記ロータの回転速度に応じて前記スプール軸を前後往復動させない状態に切り換えることを特徴とする魚釣用スピニングリール。
【請求項２】
前記スプール往復動機構は、釣糸をスプールから引き出す前記ロータの回転速度が一定速度に達した場合に前記スプール軸を前後往復動させない状態に切り換えることを特徴とする請求項１に記載の魚釣用スピニングリール。
【請求項３】
前記スプール往復動機構は、前記ロータの回転駆動力を前記スプール軸に伝達する動力伝達経路上に、前記ロータの回転速度が一定速度に達した場合に前記スプール軸に対する前記ロータの回転駆動力の伝達を遮断する動力遮断部材を備えることを特徴とする請求項２に記載の魚釣用スピニングリール。
【請求項４】
前記スプール往復動機構は、前記動力遮断部材として、前記ロータの回転により発生する遠心力で作動し、前記スプール軸に対する前記ロータの回転駆動力の伝達を遮断する作動部材を備えることを特徴とする請求項３に記載の魚釣用スピニングリール。
【発明の詳細な説明】
【技術分野】
【０００１】
本発明は、魚釣用スピニングリールに関し、特に、ハンドルの回転操作運動を、スプールの前後往復動に変換するスプール往復動機構をリール本体内に設けた魚釣用スピニングリールに関する。
【背景技術】
【０００２】
一般に、魚釣用スピニングリールは、ハンドルの回転操作で釣糸案内部を有するロータを回転させると共に、ハンドルの回転運動をリール本体内部に設けたスプール往復動機構により前後動方向に変換することで前後往復動するスプールに、ロータの釣糸案内部を介して釣糸が巻回される構成を有している。
【０００３】
従来、このような魚釣用スピニングリールにおいて、リール本体に上方に向けて牽引可能に取り付けられた操作レバーの牽引操作や、リール本体の後部に設けた操作具の回転操作により、魚のヒットに伴う釣糸の繰り出しによって逆回転するロータに制動力を付与するロータ制動装置を備え、ロータの逆回転をフリーに行わせる一方、操作者の回転操作等により魚とのやり取りを可能とするものが知られている（例えば、特許文献１及び特許文献２参照）。
【特許文献１】実公平１−２０８５８号公報
【特許文献２】実公平１−３９１９４号公報
【発明の開示】
【発明が解決しようとする課題】
【０００４】
しかしながら、このような魚釣用スピニングリールにおいては、ロータの逆回転に連動してスプールが高速で前後往復動することとなる。このため、この前後往復動に応じて発生する振動が、操作者に不快感を与えると共に、釣糸を介して魚に違和感を与えて魚を暴れさせ、魚を取り逃がしたり釣糸を切断したりする原因となり、また、リール本体のネジ締結部に伝わってネジの緩みの原因となるという問題がある。
【０００５】
また、ロータの逆回転に連動してスプールが高速で前後往復動するので、スプール往復動機構における変換係合部（例えば、ウォームシャフトとピン係合部や、係合突起と係合溝）の磨耗や、前後往復動の方向転換時の抵抗発生によるロータ逆回転時のフリー性の劣化を引き起こす原因となるという問題がある。
【０００６】
本発明は、上記した問題に鑑みて為されたものであり、ロータの逆回転時に発生する振動に起因する諸問題を解決することができると共に、スプール往復動機構の耐久性、並びにロータ逆回転時におけるフリー性に優れた魚釣用スピニングリールを提供することを目的とする。
【課題を解決するための手段】
【０００７】
上記した目的を達成するために、本発明に係る魚釣用スピニングリールは、ハンドル軸の回転操作に応じて回転しスプールに釣糸を案内する釣糸案内部を有するロータと、先端にスプールが取り付けられたスプール軸と、ハンドル軸の回転操作運動をスプール軸の前後往復動に変換するスプール往復動機構と、を備え、スプール往復動機構は、釣糸をスプールから引き出すロータの回転速度に応じてスプール軸を前後往復動させない状態に切り換えることを特徴とする。
【０００８】
上記した構成の魚釣用スピニングリールによれば、ロータの回転速度に応じてスプール軸を前後往復動させない状態に切り換えることから、スプールの前後往復動に応じて発生していた振動を防止することができるので、振動に伴う操作者における不快感を除去すると共に、魚へ与える影響を低減することを通じて釣果を向上させることが可能となる。
【０００９】
また、釣糸をスプールから引き出すロータの回転時にスプール軸の前後往復動が防止されることから、スプール往復動機構の前後往復動に変換する部材の磨耗を回避することができるので、スプール往復動機構の耐久性に優れたリールを提供することができる。また、スプールの前後往復動の方向転換時の抵抗発生によりロータの回転時におけるフリー性が劣化する事態を回避することができるので、ロータ回転時におけるフリー性に優れたリールを提供することができる。
【００１０】
上記構成の魚釣用スピニングリールにおいて、スプール往復動機構は、例えば、釣糸をスプールから引き出すロータの回転速度が一定速度に達した場合にスプール軸を前後往復動させない状態に切り換えるようにしても良い。この場合には、ロータの回転速度が一定速度に達した場合にスプール軸を前後往復動させない状態に切り換えることから、魚の釣糸の繰出しに伴ってロータの回転速度が一定速度に達した場合にスプール軸が前後往復動するのを防止することができる。この結果、ロータ３が一定速度以上の速度で回転した場合におけるスプールの前後往復動に応じて発生していた振動を防止することができるので、振動に伴う操作者における不快感を除去すると共に、魚へ与える影響を低減することを通じて釣果を向上させることが可能となる。
【００１１】
また、上記構成の魚釣用スピニングリールにおいて、スプール往復動機構は、ロータの回転駆動力をスプール軸に伝達する動力伝達経路上に、ロータの回転速度が一定速度に達した場合にスプール軸に対するロータの回転駆動力の伝達を遮断する動力遮断部材を備えるようにしても良い。この場合には、ロータの回転速度が一定速度に達すると、動力遮断部材によってスプール軸に対するロータの回転駆動力の伝達が遮断されることから、この動力遮断部材の作用によって、魚の釣糸の繰出しに伴ってロータの回転速度が一定速度に達した場合にスプール軸が前後往復動するのを確実に防止することができる。
【００１２】
特に、スプール往復動機構は、上記動力遮断部材として、ロータの回転により発生する遠心力で作動し、スプール軸に対するロータの回転駆動力の伝達を遮断する作動部材を備えるようにしても良い。この場合には、ロータの回転速度が一定速度に達すると、この回転により発生する遠心力で作動する作動部材によってスプール軸に対するロータの回転駆動力の伝達が遮断されることから、この作動部材を作動させるための特別な機構を設けることなく当該作動部材を配設するだけで、ロータの回転が一定速度に達した場合にスプール軸が前後往復動するのを確実に防止することができる。
【発明の効果】
【００１３】
本発明によれば、ロータの逆回転時に発生する振動に起因する諸問題を解決することができると共に、スプール往復動機構の耐久性、並びにロータ逆回転時におけるフリー性に優れた魚釣用スピニングリールが得られるようになる。
【発明を実施するための最良の形態】
【００１４】
以下、図面を参照しながら本発明の実施形態について説明する。
【００１５】
図１は、本発明の第１の実施形態に係る魚釣用スピニングリールの全体的な構成を示している。
【００１６】
図１に示すように、本発明に係る魚釣用スピニングリールのリール本体１には、釣竿に装着されるリール脚２が一体形成されており、その前方には回転可能に支持されたロータ３と、ロータ３の回転運動と同期して前後動可能に支持されたスプール４が配設されている。
【００１７】
ロータ３は、スプール４の周囲を回転する一対の腕部３ａを備えており、各腕部３ａの夫々の前端部には、ベール３ｂの基端部を取り付けたベール支持部材３ｃが釣糸巻取り位置と釣糸放出位置との間で回動自在に支持されている。なお、ベール３ｂの一方の基端部は、ベール支持部材３ｃに一体的に設けられた釣糸案内部３ｄに取り付けられている。
【００１８】
リール本体１内には、ハンドル軸５が回転可能に支持されており、その突出端部には、ハンドル６が取り付けられている。また、ハンドル軸５には、巻取り駆動機構が係合しており、この巻取り駆動機構は、ハンドル軸５に一体回転可能に装着された駆動ギヤ（フェースギヤ）７と、この駆動ギヤ７に噛合する従動ギヤ８（ピニオン）が周面に形成されると共にハンドル軸５と直交する方向に延出し、内部に軸方向に延出する空洞部が形成されたピニオン筒軸９と、を備えている。
【００１９】
ピニオン筒軸９は、軸受け１０及びリール本体１内に形成した軸受部１ａで回転可能に支持されている。また、スプール４側に向けて延出しており、その先端部において、ロータ３が取り付け固定されている。ピニオン筒軸９に形成された従動ギヤ８の上方に、従動ギヤ８のスプール４側端部に一体的に取り付けられたラチェット８ａに対して係脱可能に構成された係合部材１１が配設されている。係合部材１１は、リール本体１の外部に設けられたレバー１２に対する回動操作によりラチェット８ａに対する係脱が切り替えられ、ハンドル６（ロータ３）の釣糸繰出し方向の逆回転を防止する公知の逆転防止装置を構成するようになっている。
【００２０】
ピニオン筒軸９の内部に形成された空洞部には、ハンドル軸５と直交する方向に延出し、先端側にスプール４を装着したスプール軸（メインシャフト）１３が軸方向に移動可能に挿通されている。また、ピニオン筒軸９には、スプール４（スプール軸１２）を前後往復動させるためのスプール往復動機構１４の一部を為す連結ギヤ１５が回転可能に装着されている。連結ギヤ１５は、軸受け１０側に設けられた大径ギヤ１５ａ及びロータ３側に設けられ外周に凹凸が形成された係止部１５ｂ（小径ギヤ）を有している。
【００２１】
スプール往復動機構１４は、上述の連結ギヤ１５と、ロータ３の内側でリール本体１の前方側であって連結ギヤ１５と対向する位置に取り付けられ、ロータ３の回転速度に対応して発生する遠心力に応じて係止部１５ｂに対して係脱可能に構成された遠心作動部材１６と、リール本体１内に回転可能に支持され、スプール軸１３と平行に延出するウォームシャフト１７と、スプール軸１３の基端部に抜け止め固定された摺動子Ｓと、ウォームシャフト１７の端部に取り付けられ、連結ギヤ１５の大径ギヤ１５ａと噛合するギヤ１８とを備えている。
【００２２】
上記摺動子Ｓは、スプール軸１３に対してビス等によって回り止め固定されると共に、ウォームシャフト１７の外周面に形成された螺旋溝１７ａと係合する係合ピンＰを有している。そして、ウォームシャフト１７が回転駆動されると、この摺動子Ｓは、係合ピンＰを介して前後方向に往復駆動される。この結果、スプール４（スプール軸１３）が前後方向に往復駆動される。
【００２３】
このような構成を有する魚釣用スピニングリールにおいて、ハンドル６により巻取り操作を行うと、ロータ３が巻取り駆動機構を介して回転駆動されると共に、スプール４がスプール往復動機構１４を介して前後往復動されるので、釣糸は、釣糸案内部３ｄを介してスプール４の巻回胴部４ａに均等に巻回されるようになっている。
【００２４】
次に、上記したスプール往復動機構１４を構成する連結ギヤ１５及び遠心作動部材１６の構成及び作用について説明する。図２は、スプール往復動機構１４を構成する連結ギヤ１５周辺の拡大図であり、図３は、図２に示すＡ−Ａ線に沿った断面から図２の右方側を示す図である。
【００２５】
図２及び図３に示すように、連結ギヤ１５は、ピニオン筒軸９の外周に回り止め嵌合されたカラー１９の外周に回転可能に取り付けられている。遠心作動部材１６は、連結ギヤ１５側の先端部が連結ギヤ１５の係止部１５ｂに対して係脱可能に構成されるように、その基端部がロータ３におけるピニオン筒軸９の近傍である基部３ａに軸支されている。
【００２６】
遠心作動部材１６の基端部の近傍には、遠心作動部材１６に一定の付勢力を付与する付勢部材２０が配設されている。付勢部材２０は、その一端がロータ３の側面部に固定される一方、その他端が遠心作動部材１６の外側部分に係止されており、遠心作動部材１６の先端部を係止部１５ｂ側に付勢するように、ピニオン筒軸９の近傍に取り付けられている。
【００２７】
付勢部材２０が有する付勢力は、ロータ３の回転速度が一定速度に達するまでは遠心作動部材１６の先端部を係止部１５ｂに係合させる一方、一定速度に達した場合に遠心作動部材１６の先端部を係止部１５ｂから離脱させる付勢力に設定されている。このように付勢力を付勢部材２０に設定することで、遠心作動部材１６は、ロータ３の回転速度が高速領域の一定速度に達した場合に作動し、連結ギヤ１５に対するロータ３の回転駆動力の伝達を遮断する動力遮断部材として機能する。
【００２８】
なお、本実施形態においては、上記付勢部材２０による遠心作動部材１６の係止部１５ｂへの係脱が切り換えられるロータ３の回転速度を、魚による釣糸の繰出しによってのみ発生し得る回転速度、逆にいうと、ハンドル６を用いた釣糸の巻取りによって発生し得ない回転速度に設定している。
【００２９】
図２及び図３においては、付勢部材２０の付勢力により遠心作動部材１６の先端部が係止部１５ｂに係合した場合について実線で示し、遠心作動部材１６の先端部が係止部１５ｂから離脱した場合について点線で示している。また、図３に示すように、遠心作動部材１６の先端部が係止部１５ｂに係合した場合においては、係止部１５ｂの歯間に遠心作動部材１６の先端部が進入した状態となる一方、遠心作動部材１６の先端部が係止部１５ｂから離脱した場合においては、遠心作動部材１６の先端部が係止部１５ｂの歯間から退避した状態となっている。
【００３０】
遠心作動部材１６の先端部が係止部１５ｂに係合した場合においては、ロータ３の回転駆動力が連結ギヤ１５に伝達されるので、これに応じてギヤ１８も回転する。そして、このギヤ１８の回転に応じてウォームシャフト１７も回転するので、これに応じて摺動子Ｓが移動することによりスプール４（スプール軸１３）が前後に往復動することなる。
【００３１】
これに対して、遠心作動部材１６の先端部が係止部１５ｂから離脱した状態においては、ロータ３の回転駆動力が連結ギヤ１５に伝達されることはないので、連結ギヤ１５が回転することはない。したがって、ギヤ１８及びウォームシャフト１７も回転することはないので、スプール４（スプール軸１３）が前後に往復動することもない。
【００３２】
このように、本実施の形態の魚釣用スピニングリールにおいては、ハンドル６に対する回転操作をスプール軸１３の前後往復動に変換するスプール往復動機構１４を配設し、このスプール往復動機構１３で、釣糸をスプールから引き出すロータ３の回転速度に応じて、より具体的には、ロータ３の回転速度が一定速度に達した場合にスプール軸１３を前後往復動させない状態に切り換えるようにしている。これにより、ロータ３の回転速度が一定速度に達した場合にスプール軸１３が前後往復動させない状態に切り換えられることから、魚の釣糸の繰出しに伴ってロータ３の回転速度が一定速度に達した場合にスプール軸１３が前後往復動するのを防止することができる。この結果、スプール３の前後往復動に応じて発生していた振動を防止することができるので、振動に伴う操作者における不快感を除去すると共に、魚へ与える影響を低減することを通じて釣果を向上させることが可能となる。
【００３３】
また、釣糸をスプール４から引き出すロータ３の回転時にスプール軸１３の前後往復動が防止されることから、スプール往復動機構１４の前後往復動に変換する部材の磨耗を回避することができるので、スプール往復動機構１４の耐久性に優れたリールを提供することができる。また、スプール４の前後往復動の方向転換時の抵抗発生によりロータ３の回転時におけるフリー性が劣化する事態を回避することができるので、ロータ回転時におけるフリー性に優れたリールを提供することができる。
【００３４】
特に、スプール往復動機構は、ロータ３の回転駆動力をスプール軸１３に伝達する動力伝達経路上に、ロータ３の回転速度が一定速度に達した場合に連結ギヤ１５に対するロータ３の回転駆動力の伝達を遮断する動力遮断部材（遠心作動部材１６）を設けている。これにより、ロータ３の回転速度が一定速度に達すると、動力遮断部材によって連結ギヤ１５に対するロータ３の回転駆動力の伝達が遮断されることから、この動力遮断部材の作用によって、魚の釣糸の繰出しに伴ってロータ３の回転速度が一定速度に達した場合にスプール軸１３が前後往復動するのを確実に防止することができる。
【００３５】
より具体的には、スプール往復動機構１４は、上記動力遮断部材として、ロータ３の回転により発生する遠心力で作動し、連結ギヤ１５に対するロータ３の回転駆動力の伝達を遮断する遠心作動部材１６を備えている。これにより、ロータ３の回転速度が一定速度に達すると、この回転により発生する遠心力で作動する遠心作動部材１６によって連結ギヤ１５に対するロータ３の回転駆動力の伝達が遮断されることから、この遠心作動部材１６を作動させるための特別な機構を設けることなく当該遠心作動部材１６を配設するだけで、ロータ３の回転速度が一定速度に達した場合にスプール軸１３が前後往復動するのを確実に防止することが可能となる。
【００３６】
以上、本発明に係る魚釣用スピニングリールの第１の実施形態について説明したが、本発明は、上記実施形態に限定されることなく、種々変形することが可能である。上記した実施形態においては、連結ギヤ１５がカラー１９を介して回転可能にピニオン筒軸９に装着される場合について示しているが、この連結ギヤ１５をピニオン筒軸９に装着する際の構成については、適宜変形することが可能である。例えば、連結ギヤ１５とピニオン筒軸９との間に一方向クラッチを介在させることが可能である。
【００３７】
以下、図４を参照して本発明の第２の実施形態について説明する。なお、これらの図において、図４は、第２の実施形態に係る魚釣用スピニングリールのスプール往復動機構１４を構成する連結ギヤ１５周辺の拡大図である。また、以下に説明する実施形態では、上記した第１の実施形態と同様な構成要素については、同一の参照符号を付し、その詳細な説明については省略する。さらに、図４の左方側からみた状態で時計回り方向の回転を正転と呼び、反時計回り方向の回転を逆転と呼ぶものとする。
【００３８】
図４に示すスプール往復動機構１４において、連結ギヤ１５とピニオン筒軸９との間には、ハンドル６の釣糸巻取り方向の回転における回転駆動力のみをギヤ１８に伝達すべく、一方向クラッチ２１が配設されている。なお、この一方向クラッチ２１は、ハンドル６の釣糸巻取り方向の回転における回転駆動力のみをギヤ１８に伝達できれば、どのような構成を採っても良い。
【００３９】
例えば、一方向クラッチ２１は、連結ギヤ１５の内側に回り止めされた状態で収容される外輪と、この外輪とピニオン筒軸９との間に配置される転がり部材と、この転がり部材に一定方向の付勢力を付与するバネと、このバネの付勢力による転がり部材の移動を規制する保持部材とから構成される。上記外輪には、各転がり部材の大きさに応じて楔領域及びフリースペースが設けられ、連結ギヤ１５の回転方向に応じて転がり部材が両者間を移動するように構成されている。
【００４０】
このような一方向クラッチ２１において、釣糸巻取り操作に応じてピニオン筒軸９が正転駆動されると、その駆動力は一方向クラッチ２１に伝達される。このとき、一方向クラッチ２１の転がり部材は、バネの付勢力により楔領域に移行するため、ピニオン筒軸９の駆動力を一方向クラッチ２１を介してギヤ１８に伝達する。一方、魚による釣糸の繰り出しに応じてロータ３が逆転駆動されると、その駆動力は一方向クラッチ２１に伝達される。このとき、一方向クラッチ２１の転がり部材は、バネの付勢力に抗して外輪のフリースペースに移行するため、ロータ３の回転駆動力をギヤ１８に伝達することはないが、遠心作動部材１６と係止部１５ｂとの係合状態より、ロータ３の逆転駆動力は、遠心作動部材１６を介して連結ギヤ１５を回転させ、ギヤ１８、ウォームシャフト１７、摺動子Ｓを介して、スプール４を前後往復動させる。
【００４１】
しかしながら、上記第１の実施形態で説明したように、魚による釣糸の繰り出しに応じてロータ３の回転速度が一定速度に達し、一定速度以上の速度で逆転駆動された場合には、その遠心力により遠心作動部材１６の先端部が係止部１５ｂから離脱する。この場合には、一方向クラッチ２１のフリー作用により連結ギヤ１５は回転せず、ロータ３の回転駆動力は、ギヤ１８に伝達されることはなく、スプール４は、前後往復動しない。
【００４２】
このように、本実施の形態に係る魚釣用スピニングリールによれば、上記第１の実施形態の構成に加え、ロータ３の回転駆動力をスプール軸１３に伝達する動力伝達経路上に配置される、ピニオン筒軸９とギヤ１８との間に一方向クラッチ２１を介在させ、釣糸をスプール４から引き出す方向のロータ３の逆転時における回転駆動力をギヤ１８に伝達しないようにしている。このため、釣糸巻取り操作時においては、ロータ３の回転速度に関係なくスプール４は前後往復動するが、魚により一定速度以上の速度で釣糸が繰り出されてロータ３が高速で逆回転した場合は、遠心作動部材１６が係止部１５ｂから離間して一方向クラッチ２１のフリー作用によって、ロータ３の回転駆動力はスプール往復動機構１４に伝達されず、スプール４の前後往復動に応じて発生する振動を防止することができるので、振動に伴う操作者における不快感を除去すると共に、魚へ与える影響を低減することを通じて釣果を向上させることが可能となる。
【００４３】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００４４】
例えば、上記した実施形態においては、一般的なオープンフェース型の魚釣用スピニングリールについて説明しているが、本発明は、ロータ３の逆転時にスプール４を前後往復動させないようにする必要があるリールであれば、クローズドフェース型のリールにも適用することが可能であり、上述した優れた効果を得ることが可能となる。
【００４５】
特に、魚による釣糸の繰り出しに応じて逆回転するロータ３に制動力を付与するロータ制動装置を備え、意図的にロータ３の逆回転をフリーに行わせる一方、操作者のロータ制動装置に対する操作により魚とのやり取りを可能とする、上述した従来技術の特許文献１（実公平１−２０８５８号公報）に開示された所謂レバーブレーキリールにおいては、上述した優れた効果に加え、更に顕著な効果を得ることが可能となる。
【００４６】
すなわち、レバーブレーキリールにおいては、釣糸を繰り出す量は操作者のロータ制動装置に対する操作に依存することとなるが、本発明を適用することでロータ３の逆転時に発生していた振動が除去されるので、ロータ制動装置に対する操作に集中することが可能となり、魚とのやり取りをより一層楽しみながら魚釣りを行うことが可能となる。
【００４７】
また、以上の説明において、スプール往復動機構１４に配設される一方向クラッチ２１は、上記構成に限定されることなく、他の構成を有する一方向クラッチを適用することが可能である。例えば、ラチェットと爪とを組み合わせて一方向クラッチを構成しても良いし、また、巻バネの締付力を利用して構成するようにしてもよい。このように変更した場合においても、上述した本実施の形態と同様の効果を得ることが可能である。
【産業上の利用可能性】
【００４８】
本発明は、ロータの逆回転時に発生する振動に起因する諸問題を解決することができると共に、スプール往復動機構の耐久性、並びにロータ逆回転時におけるフリー性に優れた魚釣用スピニングリールを提供するものであり、産業上の利用可能性を有する。
【図面の簡単な説明】
【００４９】
【図１】本発明の第１の実施形態に係る魚釣用スピニングリールの全体的な構成を示す図。
【図２】スプール往復動機構を構成する連結ギヤ周辺の拡大図。
【図３】図２に示すＡ−Ａ線に沿った断面から図２の右方側を示す図。
【図４】本発明の第２の実施形態に係る魚釣用スピニングリールのスプール往復動機構を構成する連結ギヤ周辺の拡大図。
【符号の説明】
【００５０】
１  リール本体
３  ロータ
４  スプール
５  ハンドル軸
７  駆動ギヤ
９  ピニオン筒軸
１３  スプール軸
１４  スプール往復動機構
１５  連結ギヤ
１６  遠心作動部材
１７  ウォームシャフト
１８  ギヤ
２１  一方向クラッチ
【図１】
2007006786.tif 000003
【図２】
2007006786.tif 000004
【図３】
2007006786.tif 000005
【図４】
2007006786.tif 000006